(57)【要約】【課題】飲料水を詰めた軟質性の容器を安定した形で装置本体に設置することができるキャップ部材と液体供給装置を提供する。【解決手段】キャップ部材１は、貫通孔５が形成された筒状体２と、飲料水を詰めた容器本体と接合可能な第１の接合部３と、容器本体を収納可能なケース本体１１と接続可能な第２の接合部４を備える。また、液体供給装置８は、飲料水を詰めた容器本体９と、容器本体９に連なる第１の突出部１０と、容器本体を収納可能なケース本体１１と、ケース本体１１に連なる第２の突出部１２と、第１の突出部１０及び第２の突出部１２と接合可能なキャップ部材１と、キャップ部材１と液体導入口６で接続可能な液体供給装置本体１３を備える。【選択図】図３Ｂ
2013249103.tif 000002
【特許請求の範囲】
【請求項１】
貫通孔が形成された筒状体と、
該筒状体の内側面に設けられると共に、内容物の流出に伴い内容積が減少可能に構成された容器本体に形成された所定の開口部を略囲繞して設けられた第１の突出部と接合可能に構成された第１の接合部と、
前記筒状体の外側面に設けられると共に、前記容器本体を収納可能なケース本体に形成された前記第１の突出部を挿通可能な開口領域の周囲に前記第１の突出部と略平行して設けられた第２の突出部と接合可能に構成された第２の接合部とを備える
キャップ部材。
【請求項２】
前記第１の接合部は、前記第１の突出部と接合する第１のねじ溝部を有し、
前記第２の接合部は、前記第２の突出部と接合すると共に、前記第１のねじ溝部における溝同士の間隔と等しい溝同士の間隔に形成された第２のねじ溝部を有する
請求項１に記載のキャップ部材。
【請求項３】
所定の開口部が形成されると共に、該開口部からの内容物の流出に伴い内容積が減少可能に構成された容器本体と、
前記開口部を略囲繞して形成された第１の突出部と、
該第１の突出部を挿通可能な開口領域が形成されると共に、前記容器本体を収納可能に構成されたケース本体と、
前記開口領域の周囲に形成されると共に、前記第１の突出部と略平行して設けられた第２の突出部と、
前記容器本体が前記ケース本体に収納された状態で、前記第１の突出部及び前記第２の突出部と接合可能に構成されたキャップ部材と、
該キャップ部材に接続可能に構成された液体導入口を有する液体供給装置本体とを備える
液体供給装置。
【請求項４】
前記ケース本体は、前記開口領域と連通すると共に、前記開口領域よりも大きな第２の開口領域を有する
請求項３に記載の液体供給装置。
【発明の詳細な説明】
【技術分野】
【０００１】
本発明はキャップ部材及び液体供給装置に関する。詳しくは、ウォーターサーバー等の液体を供給するキャップ部材及び液体供給装置に係るものである。
【背景技術】
【０００２】
飲料水を手軽に供給できる装置として、ウォーターサーバー等の液体供給装置が用いられている。従来、ウォーターサーバーには、飲料水が収容されたガロンボトル等の専用容器が装置に上載される。使用後は容器内が空になった時点で、飲料水を容器ごと取り換える方法が採用されている。
【０００３】
ここで、上記のガロンボトルは硬質プラスチックにより形成された硬質性の容器である。装置の使用時は、容器の口栓を下方に向けて、装置本体の注入用突起管に嵌合させた状態となる。容器内の液体を装置本体の貯水タンクへ供給する際に、容器内から液体が流出するのに伴い、容器内に空気が流入することとなる。
【０００４】
ところが、上記のような硬質性の容器に殺菌力のない天然ミネラルウォーターを収容した場合、容器内は空気に含まれた菌が繁殖し易い環境となる。また、空気が流入すると、飲料水が酸化し、水質が劣化しやすいという問題がある。
【０００５】
さらに、硬質性の容器は一般家庭において廃棄が困難であり、専門業者による容器の回収が必要で、廃棄処理の手間が生じている。
【０００６】
こうしたなか、プラスチックフィルムで形成された軟質性の容器をウォーターサーバーに設置し、飲料水を供給できる技術が提案されている。軟質性の容器としては、例えば、ビニール袋が挙げられる。
【０００７】
ここで、軟質性の容器では、使用時に内容物が外部へ流出するに従って、大気圧によって容器が押し潰される。そのため、容器内に空気が流入しにくく、容器内での菌の繁殖や、内容物の酸化が抑えられる。さらに、使用後は廃棄が容易である。
【０００８】
上記のような、軟質性の容器を用いた液体供給装置の従来技術として、例えば、特許文献１に記載の技術が提案されている。
【０００９】
ここで、特許文献１には、図６に示すような装置が記載されている。この装置は、飲料水を詰めたビニール袋を設置するウォーターサーバー１００である。装置本体１０１の上部に、ビニール袋１０２を支持するボトルホルダー１０３が配置されている。ボトルホルダー１０３の底面には、ビニール袋１０２に穴を開け、飲料水を装置本体内の貯水タンク１０４へと流出させる、注入用スパイク１０５が設けられている。
【先行技術文献】
【特許文献】
【００１０】
【特許文献１】特開２０１０−１４３６３０号公報
【発明の概要】
【発明が解決しようとする課題】
【００１１】
しかしながら、特許文献１の技術を用いても、飲料水を収容した容器を安定して設置しづらく、装置から水が漏れてしまうことがある。
【００１２】
本発明は、以上の点に鑑みて創案されたものであり、液体を収容した軟質性の容器を、しっかりと液体供給装置本体に設置することができるキャップ部材と液体供給装置を提供することを目的とする。
【課題を解決するための手段】
【００１３】
上記の目的を達成するために、本発明のキャップ部材は、貫通孔が形成された筒状体と、該筒状体の内側面に設けられると共に、内容物の流出に伴い内容積が減少可能に構成された容器本体に形成された所定の開口部を略囲繞して設けられた第１の突出部と接合可能に構成された第１の接合部と、前記筒状体の外側面に設けられると共に、前記容器本体を収納可能なケース本体に形成された前記第１の突出部を挿通可能な開口領域の周囲に前記第１の突出部と略平行して設けられた第２の突出部と接合可能に構成された第２の接合部とを備える。
【００１４】
ここで、第１の接合部が、内容物の流出に伴い内容積が減少可能に構成された容器本体に形成された所定の開口部を略囲繞して設けられた第１の突出部と接合可能に構成されたことによって、容器本体とキャップ部材が一体化する。即ち、容器本体のぐらつきを抑え、安定させることができる。
【００１５】
また、第２の接合部が、容器本体を収納可能なケース本体に形成された第１の突出部を挿通可能な開口領域の周囲に第１の突出部と略平行して設けられた第２の突出部と接合可能に構成されたことによって、容器本体が収納されたケースとキャップ部材が一体化することになる。このことは、ケースを安定させ、ひいては、容器本体のぐらつきを抑え、安定させることができる。
【００１６】
また、第１の接合部が第１の突出部と接合する第１のねじ溝部を有する場合には、容器本体とキャップ部材がねじ構造にて強固に接合されることになり、より一層容器本体のぐらつきを抑え、安定させることができる。
【００１７】
また、第２の接合部が第２の突出部と接合する第２のねじ溝部を有する場合には、容器本体が収納されたケースとキャップ部材がねじ構造にて強固に接合されることになり、より一層容器本体のぐらつきを抑え、安定させることができる。
【００１８】
さらに、第２の接合部が、第１のねじ溝部における溝同士の間隔と等しい溝同士の間隔に形成された第２のねじ溝部を有する場合には、容器本体とキャップ部材、容器本体が収納されたケースとキャップ部材の各々の接合が同時になされることになる。このことは、接合部が均等な力で接合され、外れにくくなることになり、更に一層容器本体のぐらつきを抑え、安定させることができる。また、接合が容易になることも期待できる。
【００１９】
また、上記の目的を達成するために、本発明の液体供給装置は、所定の開口部が形成されると共に、該開口部からの内容物の流出に伴い内容積が減少可能に構成された容器本体と、前記開口部を略囲繞して形成された第１の突出部と、該第１の突出部を挿通可能な開口領域が形成されると共に、前記容器本体を収納可能に構成されたケース本体と、前記開口領域の周囲に形成されると共に、前記第１の突出部と略平行して設けられた第２の突出部と、前記容器本体が前記ケース本体に収納された状態で、前記第１の突出部及び前記第２の突出部と接合可能に構成されたキャップ部材と、該キャップ部材に接続可能に構成された液体導入口を有する液体供給装置本体とを備える。
【００２０】
ここで、容器本体が、開口部からの内容物の流出に伴い内容積が減少可能に構成されたことによって、容器本体は内容物の流出に伴い、下方に向かって潰れていくことになる。
つまり、容器本体の重心が下がることにより、容器本体のぐらつきを抑え、安定させることができる。容器本体の例として、ビニール袋に代表されるような軟質性の容器が考えられる。
【００２１】
また、ケース本体が容器本体を収納可能に構成されたことによって、容器本体は収納されて保持されることになり、容器本体のぐらつきを抑え、安定させることができる。
【００２２】
また、キャップ部材が、容器本体がケース本体に収納された状態で、第１の突出部及び第２の突出部と接合可能に構成されたことによって、容器本体、ケース本体そしてキャップ部材を一体化させる。このことは、容器本体のぐらつきを抑え、安定させることができる。
【００２３】
また、液体供給装置本体が、キャップ部材に接続可能に構成された液体導入口を有することによって、液体供給装置本体へ水が供給可能になるだけでなく、キャップ部材を介して容器本体が支持されることになり、容器本体のぐらつきを抑え、安定させることができる。
【００２４】
さらに、ケース本体が、開口領域と連通すると共に、開口領域よりも大きな第２の開口領域を有する場合には、第１の突出部が容易に第２の開口領域に挿通され、容器本体がケース本体に設置しやすくなる。また、第２の開口領域から開口領域に向けて、第１の突出部をスライドさせて誘導可能となる。つまり、容器本体のケースへの載置が容易になり、より容器本体のぐらつきを抑え、安定させることができる。
【発明の効果】
【００２５】
本発明に係るキャップ部材と液体供給装置は、液体を収容した軟質性の容器をしっかりと液体供給装置本体に設置することができる。
【図面の簡単な説明】
【００２６】
【図１】本発明を適用した容器本体、ケース本体、キャップ部材の一例を示す概略断面図である。
【図２】図１のキャップ部材の接合部のねじ溝を示す概略断面図である。
【図３Ａ】本発明を適用した液体供給装置のバッグ容器（ａ）とプラスチックケース（ｂ）を示す概略断面図である。
【図３Ｂ】本発明を適用した液体供給装置の一例を示す概略断面図である。
【図４】ケース本体に第２の開口領域を設けた場合の装置断面図（ａ）および上面図（ｂ）である。
【図５Ａ】バッグ容器のプラスチックケースへの収納（ａ）を示す概略断面図および上面図である。
【図５Ｂ】プラスチックケースを逆さまにした状態（ａ）、バッグ容器とプラスチックケースへのキャップ部材の取付け（ｂ）を示す概略断面図である。
【図５Ｃ】キャップ部材の液体供給装置本体への取付け前（ｄ）を示す概略断面図である。
【図５Ｄ】キャップ部材の液体供給装置本体への取付け後（ｅ）を示す概略断面図である。
【図６】従来の軟質性の容器を用いた液体供給装置を示す概略図である。
【発明を実施するための形態】
【００２７】
以下、本発明の実施の形態について図面を参照しながら説明し、本発明の理解に供する。
図１は、本発明を適用した容器本体、ケース本体、キャップ部材の一例を示す概略断面図である。図２は、図１のキャップ部材の接合部のねじ溝を示す概略断面図である。図３Ａは、本発明を適用した液体供給装置のバッグ容器（ａ）とプラスチックケース（ｂ）を示す概略断面図である。図３Ｂは、本発明を適用した液体供給装置の一例を示す概略断面図である。図４は、ケース本体に第２の開口領域を設けた場合の装置断面図（ａ）および上面図（ｂ）である。
【００２８】
ここで、図１に示すように、本発明を適用した液体供給装置の一例である液体供給装置８は、ビニール製のバッグ容器９と、プラスチックケース１１と、キャップ部材１と、液体供給装置本体１３（図１では図示せず）とを備える。なお、キャップ部材１は、バッグ容器９、プラスチックケース１１及び液体供給装置本体１３のそれぞれと接合可能に構成されている。
【００２９】
まず、ビニール製のバッグ容器９は、図３Ａ（ａ）に示すように、バッグ容器本体９ａと第１の突出部１０を有する。また、バッグ容器本体９ａに所定の開口部１４が形成されている。また、第１の突出部１０は、開口部１４を略囲繞して形成されている。バッグ容器本体９ａには飲料水が収容されている。
【００３０】
また、第１の突出部１０には、ねじ溝部１０ａが設けられている。ねじ溝部１０ａの溝部同士の間隔をＡとする。
【００３１】
また、バッグ容器本体９ａは、開口部１４からの飲料水の流出に伴い内容積が減少可能に構成されている。なお、開口部１４が形成されたことで、バッグ容器本体９ａに収容された飲料水を外部へ流出することが可能となる。
【００３２】
ここで、バッグ容器本体９ａは、内容物の流出に伴い内容積が減少可能であればよく、減少の程度が限定されるものではない。また、素材が限定されるものでもない。但し、容器本体内への空気の流入を抑える観点から、内容物の流出に応じて、できるだけ内容積が減少しやすいように構成されることが好ましい。
【００３３】
また、第１の突出部１０は、キャップ部材１と接合可能に構成されていれば充分であり、必ずしもねじ溝部１０ａが設けられる必要はない。但し、接合が強固になる点からねじ溝部１０ａが設けられることが好ましい。
【００３４】
また、ここでの飲料水は、本発明を適用した液体供給装置に収容する液体の一例である。本発明は、飲料水に限らず、その他の液体にも適用することができる。
【００３５】
図３Ａ（ｂ）に示すように、プラスチックケース１１は、プラスチックケース本体１１ａと、ケース上部を開閉可能に構成された蓋部１１ｂと、第２の突出部１２を有する。プラスチックケース１１は、バッグ容器９を収納可能に構成されている。
【００３６】
また、図３Ａ（ｂ）に示すように、プラスチックケース本体１１ａには、第１の突出部１０を挿通可能な開口領域１５が形成されている。また、第２の突出部１２は、バッグ容器９をプラスチックケース１１に収納した状態で、バッグ容器９の第１の突出部１０と略平行して、開口領域１５の周囲に設けられている。また、第２の突出部１２には、ねじ溝部１２ａが設けられている。ねじ溝部１２ａの溝部同士の間隔をＢとする。
【００３７】
また、ねじ溝部１２ａの溝部同士の間隔をＢは、ねじ溝部１０ａの溝部同士の間隔をＡと等しくなるように形成されている。
【００３８】
さらに、図４（ｂ）に示すように、プラスチックケース本体１１ａは、開口領域１５と連通すると共に、開口領域１５よりも大きな第２の開口領域１７が設けられている。
【００３９】
ここで、プラスチックケース１１は、バッグ容器９を収納可能に構成されていれば充分であり、素材がプラスチックに限定されるものではない。但し、バッグ容器のぐらつきを抑える観点からは、ある程度の強度を持った素材で形成されることが好ましい。
【００４０】
また、蓋部１１ｂは必ずしも設けられる必要はない。但し、キャップ部材１を接合する際には、バッグ容器９とプラスチックケース１１を上下ひっくり返して接合することも考えられる。この場合、蓋部１１ｂが閉じられることで、バッグ容器９の垂直方向への抜け落ちを抑制できる。即ち、キャップ部材１による接合を容易にする点で、蓋部１１ｂが設けられることが好ましい。
【００４１】
また、第２の突出部１２は、キャップ部材１と接合可能に構成されていれば充分であり、必ずしもねじ溝部１２ａが設けられる必要はない。但し、接合が強固になる点からねじ溝部１２ａが設けられることが好ましい。
【００４２】
また、第２の突出部１２がキャップ部材１と接合可能に構成されていれば充分であり、必ずしもねじ溝部１２ａの溝部同士の間隔Ｂとねじ溝部１０ａの溝部同士の間隔Ａが等しく形成される必要はない。但し、各々の突出部とキャップ部材１との接合が同時かつ均等な力で接合され、外れにくくなる点から、上記のように形成されることが好ましい。
【００４３】
さらに、プラスチックケース本体１１には、必ずしも第２の開口領域１７が設けられる必要はない。但し、第２の開口領域１７は、バッグ容器９の第１の突出部１０よりも大きく形成されているため、第１の突出部１０は、容易にプラスチックケース本体１１を挿通可能となる。その後、第１の突出部１０は、第２の開口領域１７からスライドさせて、開口領域１５に位置を合わせることができる。
【００４４】
つまり、キャップ部材１との接合の場となる開口領域１５よりも、空間的に余裕のある第２の開口領域を介することで、バッグ容器９の位置決めが容易になる点から、第２の開口領域１７が設けられることが好ましい。
【００４５】
図１に示すように、キャップ部材１は、筒状体２と、第１の接合部３と、第２の接合部４とを備える。また、図３Ｂ（ｃ）に示すように、バッグ容器９がプラスチックケース１１に収納された状態で、キャップ部材１は各々と接合する。接合については、第１の接合部３と第２の接合部４で説明する。
【００４６】
また、図１に示すように、筒状体２には貫通孔５が形成されている。貫通孔５の下部には、弁５ａが設けられている。
【００４７】
ここで、弁５ａは、必ずしも設けられる必要はないが、液体供給装置本体１３にキャップ部材１を設置する際に、水が漏れることを抑制できる点から、弁５ａが設けられることが好ましい。
【００４８】
図１に示すように、第１の接合部３は、筒状体２の内側面に設けられている。また、第１の接合部３には、第１のねじ溝部６が設けられている。図３Ｂ（ｃ）に示すように、第１のねじ溝部６が、ねじ構造にて、バッグ容器９のねじ溝部１０ａと接合する。第１のねじ溝部６の溝部同士の間隔Ｃは、ねじ溝部１０ａの溝部同士の間隔Ａと等しく形成されている。つまり、ねじ溝部１２ａの溝部同士の間隔Ｂとも等しい。
【００４９】
また、第１の接合部３は、第１の突出部１０と接合可能に構成されていれば充分であり、必ずしも第１のねじ溝部６が設けられる必要はない。但し、接合が強固になる点から第１のねじ溝部６が設けられることが好ましい。
【００５０】
また、第１の接合部３が第１の突出部１０と接合可能に構成されていれば充分であり、第１のねじ溝部６の溝部同士の間隔Ｃは、ねじ溝部１０ａの溝部同士の間隔Ａと等しく形成される必要はない。但し、各々の突出部とキャップ部材１との接合が同時かつ均等な力で接合され、外れにくくなる点から、上記のように形成されることが好ましい。
【００５１】
図１に示すように、第２の接合部４は、筒状体２の外側面に設けられている。また、第２の接合部４には、第２のねじ溝部７が設けられている。図３Ｂ（ｃ）に示すように、第２のねじ溝部７が、ねじ構造にて、プラスチックケース１１のねじ溝部１２ａと接合する。また、第２のねじ溝部７の溝部同士の間隔Ｄは、ねじ溝部１０ａの溝部同士の間隔Ａと等しく形成されている。つまり、ねじ溝部１２ａの溝部同士の間隔Ｂや第１のねじ溝部６の溝部同士の間隔Ｃとも等しい。
【００５２】
また、第２の接合部４は、第２の突出部１２と接合可能に構成されていれば充分であり、必ずしも第２のねじ溝部７が設けられる必要はない。但し、接合が強固になる点から第２のねじ溝部７が設けられることが好ましい。
【００５３】
また、第２の接合部４が第２の突出部１２と接合可能に構成されていれば充分であり、第２のねじ溝部７の溝部同士の間隔Ｄは、ねじ溝部１０ａの溝部同士の間隔Ａと等しく形成される必要はない。但し、各々の突出部とキャップ部材１との接合が同時かつ均等な力で接合され、外れにくくなる点から、上記のように形成されることが好ましい。
【００５４】
図３Ｂ（ｃ）に示すように、液体供給装置本体１３には、キャップ部材１に接続可能に構成された液体導入口１６が設けられている。飲料水は、バッグ容器９から流出し、キャップ部材１の貫通孔５を通過し、液体導入口１６から液体供給装置本体１３へと入っていくことになる。
【００５５】
以下、上記の様に構成されたキャップ部材１と液体供給装置８を用いた液体供給装置の使用方法について図面を参照しながら説明する図５Ａは、バッグ容器のプラスチックケースへの収納（ａ）を示す概略断面図および上面図である。図５Ｂは、プラスチックケースを逆さまにした状態（ａ）、バッグ容器とプラスチックケースへのキャップ部材の取付け（ｂ）を示す概略断面図である。図５Ｃは、キャップ部材の液体供給装置本体への取付け前（ｄ）を示す概略断面図である。図５Ｄは、キャップ部材の液体供給装置本体への取付け後（ｅ）を示す概略断面図である。
【００５６】
まず、図５Ａ（ａ）に示すように、プラスチックケース本体１１ａに形成された第２の開口領域１７に向けて、飲料水の入ったバッグ容器９の第１の突出部１０を差し込む。ここで、第２の開口領域１７が開口領域１５よりも大きく作られていることで、第１の突出部１０を容易に差し込むことができる。
【００５７】
続いて、第１の突出部１０は、第２の開口領域１７から１７ａの方向にスライドしながら、プラスチックケース１１の開口領域１５に誘導される。第２の開口領域と開口領域１５が連通していることで、第１の突出部１０を誘導して、バッグ容器９の位置決めを容易に行うことができる。
【００５８】
次に、図５Ｂ（ｂ）に示すように、プラスチックケースの蓋１１ｂを閉め、バッグ容器９とプラスチックケース１１を上下逆さまにひっくり返す。蓋１１ｂを閉めたことで、バッグ容器９の垂直方向への抜け落ちを抑制できる。
【００５９】
また、図５Ｂ（ｃ）に示すように、バッグ容器９の第１の突出部１０とプラスチックケース１１の第２の突出部１２のそれぞれの位置に、キャップ部材１の第１の接合部３と第２の接合部４をあてる。第１の接合部３に設けられた第１のねじ溝部６は、第１の突出部１０に設けられたねじ溝部１０ａと接合する。また、第２の接合部４に設けられた第２のねじ溝部７は、第２の突出部１２に設けられたねじ溝部１２ａと接合する。キャップ部材１、バッグ容器９そしてプラスチックケース１１が一体化することで、バッグ容器９のぐらつきを抑え、安定させることができる。また、接合がねじ構造で強固になされることで、よりバッグ容器９のぐらつきが抑えられることになる。
【００６０】
また、キャップ部材１の第１のねじ溝部６、第２のねじ溝部７の溝部同士の間隔Ｃ，Ｄと、バッグ容器９のねじ溝部１０ａ、プラスチックケース１１のねじ溝部１２ａの溝部同士の間隔Ａ，Ｂはいずれも等しく形成されている。各間隔が等しいことから、キャップ部材１を回転方向１−ａの方向に回転させることで、バッグ容器９とプラスチックケース１１が同時にキャップ部材１により接合される。接合は同時かつ均等な力で接合され、外れにくくなる。
【００６１】
また、キャップ部材１の貫通孔５の端部に弁５ａを設けておく。弁５ａの存在により、次の工程の、液体供給装置にキャップ部材１を接続する際にも、水が漏れにくくなる。
【００６２】
次に、図５Ｃ（ｄ）に液体供給装置本体１３への取付けを示す。キャップ部材１と一体化したプラスチックケース１１を再度ひっくり返し、液体供給装置本体１３の液体導入口１６に設置する。キャップ部材１の貫通孔５に液体導入口１６が接続される。バッグ容器９、プラスチックケース１１、キャップ部材１と液体供給装置本体１３が一体化され、バッグ容器９のぐらつきを抑え、安定させることができる。
【００６３】
さらに、バッグ容器９の内部の水が減ってきた状態を図５Ｄ（ｅ）で示す。ここでは、内容物の流出に伴い内容積が減少したことで、バッグ容器９が潰れた状態となっている。バッグ容器９の内部には空気が混入しにくくなり、衛生的である点で好ましい。
【００６４】
また、特許文献１に記載された技術のように、飲料水が収容された容器に針状の物質で孔を開ける方法ではないため、水が漏れにくく、使用時の安全性も高いと言える。
【００６５】
なお、本発明を適用した液体供給装置では、軟質性のバッグ容器に液体を収容して用いるが、これらの容器には、ガロンボトルのような硬質性の容器に比べ、種々の利点が存在する。
【００６６】
まず、前述したように、使用時に容器の内部に空気が混入しにくいということがある。空気の混入は、菌の繁殖や内容物の酸化を招くため、硬質性の容器に比べ、衛生面で優れることになる。
【００６７】
次に、廃棄が容易である点が挙げられる。硬質性の容器は、使用後の廃棄時には、容器を潰して廃棄されることが多いが、その硬さのため、手間がかかることが考えられる。また、専門業者による回収が必要になる場合もある。しかし、軟質性の容器であれば、容易に小さく折りたたむことが可能で手間が少ない。体積が小さくなることから、環境への配慮にもつながる。
【００６８】
また、他の実施形態として、バッグ容器を回収し、再利用することを考慮した場合には、バッグ容器を蛇腹構造にすることが考えられる。使用後の容器は、小さく一定の形に圧縮することで、整頓して積み上げることが可能となり、容器の回収と搬送が容易になる点でよい。
【００６９】
また、硬質性の容器の中には、容器の原料中の成分から、微量ではあるが、人体に有害な物質が溶け出すものが存在することが報告されている。軟質性の容器であれば、そのような問題も少なく、万が一同様な問題が存在する場合にも、容器を使い捨てにすることで、より安全性は高まるといえる。
【００７０】
また、近年では、軟質性の容器ならではの素材が存在し、収容した液体への臭い移りがほとんどなく、無臭に近い飲料水を提供できる容器も登場している。軟質性の容器を用いることで、品質の高い飲料水などを提供できる可能性を秘めている。
【００７１】
以上のように、本発明を適用した液体供給装置では、キャップ部材の内側面で飲料水を収容した軟質性のバッグ容器の突出部と接合することで、容器のぐらつきを抑え、安定させることができる。
【００７２】
また、軟質性のバッグ容器を収納可能なプラスチックケースを備えることで、バッグ容器のぐらつきを抑え、安定させることができる。また、プラスチックケースの突出部とキャップ部材の外側面が接合することで、バッグ容器が収納されたケースとキャップ部材が接合されることになり、より一層バッグ容器のぐらつきを抑え、安定させることができる。
【００７３】
またキャップ部材と液体導入口が接続され、バッグ容器、プラスチックケース、キャップ部材そして液体供給装置本体が一体化されることで、バッグ容器のぐらつきを抑え、安定させることができる。
【００７４】
このように、本発明を適用したキャップ部材と液体供給装置は、液体を収容した軟質性の容器をしっかりと液体供給装置本体に設置することができる。
【符号の説明】
【００７５】
１      キャップ部材
１−ａ  キャップ部材の回転方向
２      筒状体
３      第１の接合部
４      第２の接合部
５      貫通孔
５ａ    弁
６      第１のねじ溝部
７      第２のねじ溝部
８      液体供給装置
９      バッグ容器
９ａ    バッグ容器本体
１０      第１の突出部
１０ａ    ねじ溝部
１１      プラスチックケース
１１ａ    ブラスチックケース本体
１１ｂ    蓋部
１２      第２の突出部
１２ａ    ねじ溝部
１３      液体供給装置本体
１４      開口部
１５      開口領域
１６      液体導入口
１７      第２の開口領域
１７ａ    スライド方向
【図１】
2013249103.tif 000003
【図２】
2013249103.tif 000004
【図３Ａ】
2013249103.tif 000005
【図３Ｂ】
2013249103.tif 000006
【図４】
2013249103.tif 000007
【図５Ａ】
2013249103.tif 000008
【図５Ｂ】
2013249103.tif 000009
【図５Ｃ】
2013249103.tif 000010
【図５Ｄ】
2013249103.tif 000011
【図６】
2013249103.tif 000012